(57)【要約】      （修正有）【課題】マッサージオイル等の各種液剤を併用する事で相乗効果があり効果的な指圧マッサージや電動振動マッサージが容易に行え使用者の好みの液剤もボトルに注入して使用する事も出来る小型で携帯に適し使い易く効果の高い、外観もスタイリッシュな、液剤ボトル付き電動マッサージ器を提供する。【解決手段】液剤ボトル２７と一体感のあるデザインの、指圧や局部マッサージに適した砲弾型のボトルキャップ振動部２に液剤抽出口５と液剤流路３を備えた振動数調整機能付電動マッサージ器に使用者の好みの液剤も注入可能な押圧変形により内容物を抽出する方式の液剤ボトル２７を脱着自在に備え、振動部先端より液剤を抽出しながら指圧や振動マッサージが行える物とし、非使用時にスイッチ類はボトル内に収納されスタイリッシュな外観となる機能と外観の美観を両立した液剤ボトル付きマッサージ器である事を特徴とする。また、マッサージ器部脱着タイプも有る。【選択図】図１
2005040438.tif 000002
【特許請求の範囲】
【請求項１】
電動マッサージ器の振動部となる液剤容器のキャップ型の振動部内部に振動発生モーターと同振動部の外面に設けた液剤抽出口へと繋がる液剤流路を有し、更に、その液剤流路の液剤注入口に合致する形状の液剤抽出ノズルを有した脱着自在な液剤容器とからなる液剤ボトル付き電動マッサージ器。
【請求項２】
容器キャップ型振動部内部の振動発生モーターの回転軸中心が、振動部外面の液剤抽出口の直下で同一線上、もしくは振動部内部中央に位置し、そのモーターシャフトが、液剤抽出口に向かう方向でモーターが設置されている事を特徴とする、請求項１に記載の液剤ボトル付き電動マッサージ器。
【請求項３】
液剤容器は、中央付近にパイプが貫通した形状に形成されており、容器キャップ型振動部と液剤容器との接続時には、振動部内のモーターとボリュームの下部に設置された、筒状のバッテリーケースとスイッチが、そのパイプ内に収納される事を特徴とする、請求項１に記載の液剤ボトル付き電動マッサージ器。
【請求項４】
容器本体が、容器を押圧により変形させる事で、内容物を液剤抽出ノズルより抽出する方式の容器である、請求項１に記載の液剤ボトル付き電動マッサージ器。
【請求項５】
液剤容器はマッサージオイル、アロマオイル、化粧剤等の、液体、流動体、ジェル状の各種液剤が充填された状態での提供と液剤が充填されていない空の状態での提供の両提供により使用者が液剤容器に好みの液剤を注入して使用する事も出来る、請求項１に記載の液剤ボトル付き電動マッサージ器。
【請求項６】
容器キャップ型振動部内部に複数の液剤流路を、また、液剤容器側には複数の液剤抽出ノズルを有する、請求項１に記載の液剤ボトル付き電動マッサージ器。
【請求項７】
容器キャップ型振動部に内蔵された、電動マッサージ器部が単体で脱着自在となっており、取り外した単体の状態であっても電動マッサージ器として機能する事が出来る、請求項１に記載の液剤ボトル付き電動マッサージ器。
【発明の詳細な説明】
【技術分野】
【０００１】
本発明は、カートリッジタイプの液剤ボトルを有する電動マッサージ器であり、そのカートリッジボトルは、液剤入りの状態と液剤無しの状態と、どちらでの購入も出来る為、使用者が使い慣れ、馴染んでいる等の好みの液剤を注入して使用する事も出来、それらの各種の液剤と、指圧式マッサージや電動の振動マッサージとを併用したマッサージを行う事で、互いの相乗効果により、液剤効果とマッサージ効果の双方を高めた、効率的克つ経済的な、液剤を併用したマッサージを容易に行う為の、カートリッジ式液剤ボトル付きの小型電動マッサージ器に関する。
【背景技術】
【０００２】
従来、種々の周知の電動マッサージ器があります。椅子型のマッサージチェアから長さが３０ｃｍから５０ｃｍ程の各、振動式、揉み式等のハンディータイプのマッサージ器、また、小型のスティックタイプの振動マッサージ器等があります（例えば、特許文献１参照）。これら小型の電動マッサージ器の従来技術について記載します。従来、小型の電動マッサージ器は、そのサイズ故、持ち運びや携帯に適し、また、安価で購入し易く非常に便利な物である。しかし、その反面、あまり新しい工夫の施された物が無く、構造や、使い勝手、効果等、各製品が非常に類似したスティックタイプの物が殆どであった。更に、電池を１個だけ使用した振動数調整機能の無いタイプの物が多く、最大振動数も低くトルクも弱く、マッサージ効果の低い物が多かった。しかし、やはり、振動数調整機能付きで電池を複数使用しているタイプの方が使い勝手も良く効果も高かった。また、使用者が好みのマッサージオイル等の液剤を塗布しながら、指圧マッサージや電動振動マッサージを行おうとした場合、まず、液剤を塗布し、指等で指圧マッサージをし、その後電動マッサージ器を使用し、更に、液剤が乾いてきたら再度、塗り直す等、それぞれを別々に用意し、別々に行わなければならず、心地良く効果は高いが、手間がかかり、非常に面倒だった。尚、指圧とは、本来、人の指によりツボや、心地良いポイントを圧迫する事を示すが、本出願書類上においては、指圧棒等の、指圧に適した形状の物で、同じように圧迫しマッサージする行為を指圧マッサージと表してあります。以降同一。
【０００３】
ただし、電動のマッサージ器ではないが、エアゾール缶等の容器先端の吐出部を、複数の突起を設けるなどの特殊な形状とし、容器内の液剤を吐出させながら指圧マッサージが行えるマッサージ具はある。（例えば、特許文献２参照）
【０００４】
また、電動の物では、養毛剤等のエアゾール缶の先端吐出部に振動マッサージ器を取り付けた振動マッサージ機能付きエアゾール装置はある。（例えば、特許文献３，特許文献４，特許文献５参照）
以下、図２０により小型の電動マッサージ器について説明する。従来の電動マッサージ器は、携帯に便利な小型の物になると、筒型のケースに、１４の偏心ローターを設けたモーター１５と電池を配し、偏心ローターを回転させる事で振動を発生させる、図のような構造のスティックタイプの物が殆どであり、あまり新しい工夫の施された物が無く、構造や、使い勝手、効果等、各製品が非常に類似した物が殆どであった。ただし、この図のマッサージ器は、先端にマグネットを配しマッサージ効果を上げる工夫をしてあります。
以下、図２１により液剤容器付きマッサージ具について説明する。従来の液剤容器付きマッサージ具は図のような構造をしており、２のエアゾール缶に液剤が充填されており、７の突起部を押さえる事により５のエアゾールバルブが開きエアゾール缶の内容物が、噴出するという仕組みとなっており、その際の液剤の塗布と同時に、７の突起部により、指圧マッサージを行う事が出来るという物です。
以下、図２２により振動マッサージ機能付きエアゾール装置について説明する。従来の振動マッサージ機能付きエアゾール装置は、図のような構造をしており、図の８のノズル周辺を、頭部に押し当てることで４のバルブが開き１のエアゾール容器の内容物が噴出し、同時に２９の押圧開口部より２３のスイッチを押す事で２の振動モーターの電源が入り、振動を発生する仕組みになっており、それにより、養毛剤を噴射しながらの頭皮マッサージが行える物となっています。
以下、図２３により電動式マッサージ器一体型養毛用器具について説明する。こちらの養毛容器具は、２のマッサージ用突起付きアクチュエーターを頭部に押し当てる事で、５の養毛剤エアゾール缶の内容物が噴出し、１０のスイッチをＯＮにする事で、９のモーターの電源が入り振動を発生するという仕組みになっており、養毛剤を噴射しながらの頭皮マッサージが行える物となっています。
以下、図２４により振動マッサージ機能付きエアゾール装置について説明する。こちらの振動マッサージ機能付きエアゾール装置は、図のような構造をしており、１８のマッサージ具を患部に押し当てる事で１１のステムが押し込まれ、１９のエアゾール器より内容物が噴出する、同時に２４のスイッチが入り、２３のモーターの電源が入り振動を発生するという仕組みになっており、内容物を噴射しながら患部のマッサージが行える物となっています。また、１４の振動発生ユニットが脱着式となっている事を特徴としています。
【特許文献１】特開平０７−２９９１５１号公報（第３頁、図２）
【特許文献２】特開２０００−１４００５１号公報（第４頁、図１）
【特許文献３】特開平９−１８８３７０号公報（第６頁、図１）
【特許文献４】特開平９−２３８７５０号公報（第５ページ、図１）
【特許文献５】特開平１１−３４２２０１公広報（第４頁、図１）
【発明の開示】
【発明が解決しようとする課題】
【０００５】
上記のように、従来の小型の電動マッサージ器はそのサイズ故に構造や、使い勝手、効果等、各製品が非常に類似したスティックタイプの物が殆どであり、更なる効果的な小型の電動マッサージ器が望まれた。更に、アロマオイル、マッサージオイル、ベビーオイル、マッサージローション、化粧液、保湿液、消炎鎮痛剤等、様々な液剤があり、それら液剤と指圧マッサージや電動振動マッサージ、局部を圧迫しながらの電動振動マッサージとを併用すると大変心地良く、また、液剤とマッサージ双方の効果を高め、相乗効果が有り非常に効果的で有効なマッサージを行う事が出来る。更に、それらの液剤は、長年使用していて馴染んでいる等の、使用者の好みの液剤を使用する事も出来ると一層便利であり、同時に、使用者にとっても効果的で克つ、安心である。しかし、従来の特許文献２のマッサージ具では、液剤の塗布と同時に、指圧マッサージは出来るが、電動の振動マッサージを行う事は出来ないという問題点があった。
【０００６】
更に、本発明とは目的が異なる発明ではありますが、特許文献３，特許文献４，特許文献５の振動マッサージ機能付きエアゾール装置においては、元々、養毛剤を頭皮に噴射しながら振動マッサージをする事を目的として開発された物である為、マッサージ部が形状的にも、材質的にも、頭皮のマッサージには適しているが、身体への指圧マッサージや、電動振動マッサージ、また、ツボや、心地良いポイントを局部的に圧迫、指圧しながらの電動振動マッサージには適している物では無いという問題点があった。また、養毛剤のエアゾール缶に電動マッサージ器を取り付けた構造となっており、中でも、マッサージ部を押し付ける事で液剤が噴出する構造の物は、押し付けている間は液剤が、噴出し続けてしまう為、本発明の課題である人体の各部位へ、液剤を適量または、必要な分量だけ抽出しながら、指圧マッサージや、局部圧迫しながらの電動振動マッサージを行うには適していないという問題点があった。
【０００７】
また、振動発生機構が患部に押し当てる振動部外面から離れた場所に設置されている事も、振動発生モーターが発生した振動が振動部に効率良く伝達されず、マッサージ効果が低くなってしまい、電動振動マッサージや局部圧迫しながらの電動振動マッサージに適していない要因の一つでも有り、より振動部外面に近く、その上、効率良く振動が伝達される位置に振動発生機構を設置する必要があった。また、液剤を併用しないで普通に、人体各部への電動マッサージ器として使用するには、使用し辛く、適している物ではない為、液剤を併用せずに通常の電動マッサージ器として使用するにも使い易く、効果的な物にする必要があった。また、振動数調整機能が付いていない事も使用者の好みの強さのマッサージが行えず使い勝手が悪いので、電池を複数使用した広い範囲の振動数調整機能の付いた使用者の好みに合わせて調整出来る使い勝手の良い物にする必要があった。
【０００８】
更には、本来、液剤は、人体に直接塗布する為、使用者の体に合った好みの液剤を使用するのが理想であるが、液剤容器が、エアゾール缶である為、使用者の好みの液剤を注入して使用する事が出来ないという問題点もあった、また、エアゾール缶入りの液剤は、通常の容器の物と比べ高価であり、また、限定された液剤しかなく、詰め替えが出来ない為、経済的ではなく、また、使用後に缶ゴミが出るといった問題点があった。更に、大きさも携帯するには不向きであり、また、女性が化粧品と違和感無く並べておく事が出来る、デザイン性の高い物とは言えなかった。以上のような問題点を無くす為、本品は、専用のカートリッジボトルを、各種液剤入りの状態と、液剤無しの空の状態と両方の状態にて提供する事により、使用者は、各種液剤入りの状態での購入も出来、また、液剤無しの空の状態での購入も出来るものとし、それにより、使用者は、長年使用して馴染んでいる等の好みの液剤を注入して使用する事も出来る。また、それにより、小型のマッサージ器でありながら、通常の指圧マッサージや電動振動マッサージ、局部を圧迫しながらの電動振動マッサージは元より、ボトル入りの各種液剤または、液体、流動体、ジェル状の各種マッサージオイルや、アロマオイル、マッサージローション、ベビーオイル、化粧剤、保湿剤、消炎鎮痛剤、等好みの液剤を、好みの分量塗布し、好みの振動数を選択調整し、それら液剤とマッサージとを併用し、液剤効果、マッサージ効果の双方を高め、お互いの相乗効果により、効率的克つ経済的な指圧マッサージや電動振動マッサージ、局部を圧迫しながらの電動振動マッサージが１個の小型の電動マッサージ器で自宅や外出先で簡単に行える事を課題とし、また、液剤を使用しないで、通常の小型電動マッサージ器として使用する際も、複数の電池を使用した、好みの振動数を任意に調整選択する事が出来る使い勝手が良く効果的な電動マッサージ器として使用出来る事も課題としている。
【０００９】
また、本品は、女性が他の化粧品の一部として使用出来る事も、目的としており、外観状の美しさとマッサージ器としての利便性、使い勝手、効果、値段を両立させるべく開発された物であり、女性がその他の化粧品といっしょに並べておいていも違和感の無いデザイン性の高いスタイリッシュな外観を持つ、安価で小型で携帯にも適した、カートリッジ式の液剤ボトルを有する小型の電動マッサージ器を提供する事も課題としている。
【００１０】
また、近年アロマセラピーといった、アロマオイルを塗布しながら行うマッサージ法が注目されているが、それは、アロマオイルには人体の代謝を良くする等の様々な効果と共に、その香りは精神を落ち着かせ，リラックスさせる効果もあり、リラクゼーションに大変有効で効果的だからである、しかし、従来、安価で小型で携帯に適し、自宅や外出先で気軽に一人で、アロマオイルを併用しながらのアロママッサージを行う事が出来る電動マッサージ器は無く、本品は、そのアロママッサージも気軽に行える事も課題としている。
【００１１】
上記のように本品は、小型の電動マッサージ器の更なる、使用感や使い勝手、効果の向上を目的としており、各種液剤ボトル入りの液剤は元より、使用者の好みの液剤を注入して使用する事も出来、使用者が、好みの液剤を、好みの分量塗布し、好みの振動数を選択調整し、それらの液剤とマッサージとを併用し、液剤効果、指圧効果、マッサージ効果の双方を高め、お互いの相乗効果により、効率的克つ経済的な指圧マッサージや電動振動マッサージ、局部を圧迫しながらの電動振動マッサージが１個の小型の電動マッサージ器で自宅や外出先で簡単に行える事を課題としており、また、液剤を使用しないで通常の小型電動マッサージ器として使用する際も、複数の電池を使用した、好みの振動数を任意に調整選択する事が出来る使い勝手が良く効果的な電動マッサージ器として使用出来、更に、アロママッサージを行う事も出来る、更に、女性がその他の化粧品といっしょに並べておいていも違和感の無いデザイン性の高いスタイリッシュな外観を持つ、外観上の美しさとマッサージ器としての利便性、使い勝手、効果、値段を両立した、安価で小型で携帯にも適した、使い勝手が良く、使用感が心地良い、効率的で、経済的で、効果的な、カートリッジ式の液剤ボトルを有する小型の電動マッサージ器を提供せんとするものである。
【課題を解決するための手段】
【００１２】
上述した目的を達成するために本発明は、図１のように電動マッサージ器の振動部である砲弾型の液剤ボトルキャップの内側両サイドに液剤流路を設け、また、その液剤流路上のキャップ外面上端に液剤抽出口を設け、その抽出口の直下で更に、その同一線上に回転軸中心が位置するように偏心ローターを備えたモーターを配した、それにより、身体各部位を刺激する為の振動部先端部周辺に非常に近い位置に振動発生モーターを設置出来、更に、モーターの回転シャフトは、振動部先端に向かう縦方向に設置出来、更に、その回転の中心を、振動部であるキャップの中心軸上に位置することで、モーターが発生した振動が、効率良く振動部のキャップ外面に伝達されるようにし、効率的で効果的な電動振動マッサージを行う事が出来るものとした。また、補足として、振動部を押し当てる方向に対し、モーターの回転方向を同一にした場合、つまり、図１のモーターを、９０度回転させ横にした状態では、発生した振動が液剤ボトル側に逃げてしまい、また、振動の発生の中心が、振動部の中心ではなく、側面に来てしまう為、振動発生モーターが発生した振動を効率的に振動部先端に伝える事が出来ず、効率的に患部を刺激する事が出来なくなる。その為、本品は、上記のような配置とし、振動部の押し当て方向とモーターの回転方向を垂直とし克つ、回転軸を中央に位置する事で、モーターが発生した振動を効率的に振動部に伝達し、また、振動部に集中する、効果的な振動マッサージを行う事が出来るものとした。
【００１３】
更に、振動部となるボトルキャップを図のような砲弾型とする事で、振動が先端部に集中し易く、また、指圧マッサージや、局部圧迫しながらの電動振動マッサージに適した形状のものとし、液剤ボトルと一体感が有り、機能的で外観の美観を損なわない、機能と外観のデザイン性を両立した物とした。
【００１４】
更に、上記振動発生モーターの下部に、マッサージ器の振動数調整ボリュームを配し、更に、その下部に電池が複数収納できる筒状のバッテリーケースを配し、使用者が任意に振動数を調整選択出来る物とし、低い振動数から高い振動数まで、自分に合った心地良い振動数で、液剤を併用した快適で効果の高い電動振動マッサージが出来る物とした。また、液剤を使用しない状態でも振動数調整機能付きの、複数の電池を使用した効果の高い、使い勝手の良い、小型の電動マッサージ器として使用出来る物とした。
【００１５】
更に、そのバッテリケースの下方に電源のＯＮ、ＯＦＦスイッチであり振動数調整ダイアルノブでもあるスイッチアッセンブリを設け、電動マッサージ器使用時は液剤ボトルの中央パイプ下方開口部より、ダイアルを押す事により、ダイアルが迫り出し同時に電源が入る構造とし、次にその迫り出したダイアルを廻す事で振動部の振動数を調整する事が出来る方式とした。また、電源を切る時は、迫り出したダイアルを再度押す事で、どの振動数であれ電源がＯＦＦになる構造とした。
【００１６】
また、液剤ボトルは、図１のように上記ボトルキャップ内側両サイドの液剤流路の液剤注入口に合致する形状の突起した液剤抽出ノズルをボトル上面両サイドに設け、更に、ボトル本体中央にパイプが貫通した特徴的な形状に形成されており、振動部であるボトルキャップと、液剤ボトルとの連結時には、キャップ内側両サイドの液剤流路液剤注入口に液剤ボトル両サイドの液剤抽出ノズルが連結し、更に、その中央パイプ内に上記バッテリーケースと、電源スイッチ兼ダイアルノブが収納される構造とした。
【００１７】
そのように、電源をＯＦＦにした、非使用時には、ダイアル部が液剤ボトル中央パイプ内に完全に収納され、図のように本品を立てて置く事が出来る構造とした。更に、本品外観は、電動マッサージ器に見ないよう、スタイリッシュな液剤ボトルになっており、特に女性の使用者が、その他の化粧品と共に並べる際にも、違和感が無く自然に、スタイリッシュに並べられる、機能性と外観の美観とを両立した物とした。
【００１８】
更に、電動マッサージ器が内蔵されていない通常の液剤ボトルキャップも同一の形状をしている為、数種類の液剤を入れて並べておく際にも、統一性が保たれ美しく、整頓し易いものとした。
【００１９】
また、上記液剤ボトルは、脱着自在のカートリッジ式となっており、各種液剤入り状態での提供と液剤無しの空の状態での提供と両方行う事で、使用者は、各種液剤入り状態と液剤無し状態、どちらの購入も出来る、その為、マッサージオイル、アロマオイル等の各種ボトル入りの液剤は元より、使用者が長年使用して馴染んでいる等の各、液体、流動体、ジェル状のマッサージオイルや、アロマオイル、マッサージローション、ベビーオイル、化粧剤、保湿剤、消炎鎮痛剤、等の各種それぞれ好みの液剤を注入して使用する事も出来るものとした。その際、本液剤ボトルの上面左右にある液剤抽出ノズルより液剤を注入するが、複数の抽出ノズルを設けてある為、容器内の空気がスムーズに出て行き、注入や詰め替えが行い易いものとした。
【００２０】
また、その液剤ボトルは、ポリスチレンや、ポリエチレン、ポリプロピレン等により形成された、押圧する事で容器を変形させ、液剤抽出口より内容物の液剤を抽出する方式の物とし、エアゾール缶を廃しコストを下げるのと同時に使用者の好みの液剤を注入出来、また、必要な分量のみを抽出出来る経済的で汎用性が高く使い易い物とした。
【００２１】
更に、本品は、図１６のように電動マッサージ器部が、単体として取り出す事が出来るタイプの物もあり、取り出した単体の状態においても、電池を複数使用した、調整機能付きの使い勝手の良い、小型の電動マッサージ器として使用出来るものとした。
また、このタイプの保存時用液剤ボトルキャップは、それぞれに液剤流路と液剤抽出口を有している為、それぞれが、通常の液剤ボトルとして使用する事が出来る物とした。また、ボトルキャップの液剤流路内で、液剤どうしが混ざり合う事が無いものとした。
【００２２】
上記のように本品は、図のような砲弾型のボトルキャップの内部に液剤流路、振動発生モーター、振動数調整ボリュームを配し、その下部に筒状のバッテリーケース、迫り出し式の電源スイッチ兼振動数調整ダイアルを配し、更に、液剤ボトルは、液剤抽出口と、中央パイプを有した、押圧変形により内容物を取り出す方式のカートリッジ式ボトルとする事で、使用者は、ボトル入りの液剤は元より、使用者の好みの液剤を注入し、それを、必要な分量だけ塗布しながら、好みの振動数を設定し、液剤を併用した、指圧マッサージ、電動振動マッサージ、局部圧迫しながらの電動振動マッサージを行う事が出来、お互いの相乗効果により、液剤効果、マッサージ効果の双方を高めた、効率的克つ経済的な液剤を併用したマッサージが、自宅や外出先で簡単に行う事が出来る物とした。更に非使用時においては、スタイリッシュな外観の液剤ボトルとなり、マッサージ器には見えない為、その他の化粧品と違和感無く並べておく事が出来る、機能性と外観の美観とを両立した電動マッサージ器となっている。また、液剤を併用しないで使用する際にも電池を複数使用した、振動数調整機能付きの使い勝手の良い効果の高い小型の電動マッサージ器として使用出来る、また、電動マッサージ器部が、単体で完全に取り外し出来るタイプもある、スタイリッシュで小型で携帯に適し、経済的で、使い勝手の良い、液剤を併用した効果的な指圧マッサージ、電動振動マッサージ、局部を圧迫しながらの電動振動マッサージを行う事が出来る液剤ボトル付きの電動マッサージ器とした。
【発明の効果】
【００２３】
本発明は、以上のように構成したので次のような効果を成し得る。
本発明は、小型の電動マッサージ器でありながら、各種液剤を併用したマッサージを行う事が出来、液剤とマッサージ双方の相乗効果により、液剤とマッサージの互いの効果を高め、効率的克つ効果的に指圧マッサージ、電動振動マッサージ、局部圧迫しながらの電動振動マッサージを行う事が出来ます。また、カートリッジ式液剤ボトルを、各種液剤入りの状態と液剤無しの空の状態と両方の形態での提供により、使用者は、マッサージオイル、アロマオイル等各種液剤入りの状態でのボトルの購入と、空の状態のボトルのみの購入とどちらも選択し購入する事が出来ます。それにより使用者は、マッサージオイル、アロマオイル等の各種ボトル入りの液剤は元より、使用者が長年使用して馴染んでいる等の各、液体、流動体、ジェル状のマッサージオイルや、アロマオイル、マッサージローション、ベビーオイル、化粧剤、保湿剤、消炎鎮痛剤、等の各種それぞれの好みの液剤を注入して使用する事が出来る為、使用者は自分の体に合った液剤や、自分にとって効果の高い液剤を使用する事が出来る、また、液剤は身体に直接塗布する物である為、このように、使用者が馴染んでいる液剤を使用する事で、使用者にとって最も安心で、克つ、効果的な液剤を併用したマッサージを行う事が出来る。また、この、カートリッジ式液剤ボトルは、ポリスチレン等により形成されており、押圧により容器を変形させることで、内容物の液剤を抽出する方式の物であり、エアゾール缶を使用していない為、プロペラントや、耐圧容器を使用する必要が無く、コストを下げる事が出来、また、安価に提供する事が出来、経済的である。更に、上述のように使用者が好みの液剤を注入する事が出来、汎用性が高く便利である。また、従来のエアゾール缶タイプでは毎回内容物を使い切る度に、容器ごと液剤を購入しなければならず、高額で不経済な上に、その度に缶ゴミが出てしまっていたが、本品の液剤ボトル内の液剤を使い切った場合は、内容物を詰め替える事が出来、使い捨てする必要が無く、合理的で経済的である。更に、液剤を抽出する際は、必要な分量のみを抽出する事が出来、経済的である。このように、本液剤ボトルは、汎用性が高く、合理的で経済的な使い易い物となっています。
【００２４】
本品は、各種液剤を必要な分量だけ吐出させながら、指圧マッサージ、電動振動マッサージ、局部を圧迫しながらの電動振動マッサージをする事が出来ます。まず、本品振動部を身体に宛行い、好みの分量の液剤を抽出、塗布し、その液剤の摩擦を低下させる効果を利用し、滑らせながら、指圧マッサージをする事が出来ます。また、それにより、ツボや心地良いポイントを見つけたら、その部位で、必要に応じて、液剤を好みの分量抽出し、強く指圧したり、電源スイッチをＯＮにし、好みの振動数を調整選択し、電動振動マッサージをする事が出来ます。また、必要であれば、局部を圧迫しながらの電動振動マッサージをする事が出来ます。このように、液剤による、皮膚と振動部との摩擦を低下させる効果により、身体に宛行ったマッサージ器を、動かす際に生じる、摩擦による不快な引っ掛かりを感じる事無く、マッサージをする事が出来る、更に、各種液剤を効率良く、身体に染み込ませる事が出来、液剤の浸透を効率的にし液剤の効果を有効にする事が出来ます、また、液剤を併用した、摩擦の少ない状態での指圧マッサージ、電動振動マッサージ、局部を圧迫しながらの電動振動マッサージは、通常のマッサージよりも摩擦による引っ掛かりも無く、効果的で、心地良い。このように、液剤の効果とマッサージの効果の双方を互いの相乗効果により一層効果的なものとし、小型のマッサージ器でありながら心地良く効率的で、効果的な、液剤を併用した、指圧マッサージ、電動振動マッサージ局部圧迫しながらの電動振動マッサージをする事が出来る物であります。また、今までの小型のマッサージ器は電源をＯＮにし、通電したままの状態で体の各部位に押し当てて使用する使用方法となり、押し当てていない間も無駄に通電状態となってしまう為、実使用時間は少ないのに、電池の消耗が激しくなってしまうという問題点があったが、上記のように液剤を使用して、振動部を滑らすように指圧しながら、ツボや心地良いポイントを探し、見つかった所で、ダイアルを廻しマッサージする方法にする事により、電池の消耗を少なく出来、経済的である。
【００２５】
また、別の使用法として、液剤として、化粧剤や保湿剤を選択し、それを併用しながら、振動数を低めに設定し、目尻や目の下などの顔の乾き易い部分に、振動部を軽く宛行い、液剤をやさしくすり込むような感じで、目尻や目の下に沿って、振動マッサージをする事で、効率良く液剤が浸透していき、マッサージ後に非常にしっとりとし、高い効果がえられます。また、先ほどよりも高めの振動数で、耳の後ろや首筋などの、リンパに沿って、振動部を滑らせながら、電動振動マッサージをすると大変心地良く、また、リラックスでき効果的である。更に、液剤として消炎鎮痛剤を使用した場合は、揮発し易い消炎鎮痛剤でも、効率良く患部に浸透していき効果的であり、更に、電動マッサージ器による振動と患部への局部圧迫が消炎鎮痛剤と相俟って大変心地良く、効果的なマッサージを行うことが出来ます。また、近年アロマテラピーいうアロマオイルを塗布しながら行うマッサージが注目されているが、本品ボトルにアロマオイルを入れることで、自宅で簡単にアロママッサージを行う事が出来ます、その際アロマキャンドルや、アロマポッとを併用すると一層効果的にリラクゼーションを楽しむ事が出来ます。
【００２６】
更に本品は、女性が化粧品の一部として使用出来る事も目的としており外観状のスタイリッシュさとマッサージ器としての、使い勝手や利便性、効果、値段を両立させるべく開発されており、液剤ボトルと共に、スタイリッシュにデザインされた本品ボトルキャップ振動部は、外観は液剤ボトルキャップであるがその内部に液剤流路、振動発生モーター、振動数調整ボリュームを配し、振動発生モーターが発生した振動を効率良く振動部先端に伝える事が出来る内部レイアウトになっており、形状も、指圧マッサージや、局部圧迫しながらの電動振動マッサージに適した物となっており、効果的な指圧マッサージ、電動振動マッサージ、局部を圧迫しながらの電動振動マッサージを行う事が出来、機能性と外観の美観を両立した物となっています。更に、本品の非使用時は、スイッチや振動数調整ボリュームが、液剤ボトル中央パイプの中に完全に収納されてしまい、液剤ボトルとして立てて置く事が出来、電動マッサージ器に見えず、スタイリッシュな液剤ボトルに見えるようになっている為、その他の化粧品と違和感を感じる事無く、スタイリッシュに並べて置く事が出来ます。また、マッサージ器が内蔵されていない保存時用の液剤キャップもボトルキャップ型振動部と同一の形状で更に、数種類の色での提供をする事で、数種類の液剤入りのボトルを並べる際も、液剤の識別や、選択がし易く、また、カラフルで美しく、統一性も保たれ、整頓し易いものとなっています。更に、本品は、液剤を併用せずに使用する際にも、電池を複数使用した、振動数調整機能つきの使い勝手の良い効果的な、小型の電動マッサージ器として使用出来ます。
【００２７】
また、マッサージ器部脱着タイプもあり、このタイプは、脱着式マッサージ器部を取り付ける事で振動部となるボトルキャップ型振動部兼、保存時用液剤キャップを有しており、この保存時用液剤キャップも液剤流路や、液剤抽出口を有し、また、各液剤ボトルにそれぞれアウターキャップが付属する為、マッサージ器を取り付けていない保存時状態でも、普通に液剤を抽出する事が出来る、通常の液剤ボトルとして使用する事が出来ます。更に、前述のタイプは、ボトルキャップ振動部の液剤流路内で、残留した液剤が多少混ざり合ってしまう事があったが、このマッサージ器部脱着タイプでは、液剤流路付きの液剤ボトルキャップを各液剤が共用する事が無いので、液剤どうしが混ざり合う事がありません。また、このタイプは、マッサージ器部を取り外して、単体で使用したり、持ち運んだりする事が出来、便利で、使い勝手が良く、合理的な、液剤ボトルを有する電動マッサージ器である。
【００２８】
このように本品は１個の小型電動マッサージ器でありながら、通常の振動数調整機能付きの使い勝手の良い電動マッサージ器として使用出来、また、各種ボトル入りの液剤は元より、使用者の好みの液剤を注入し、液剤を好みの分量抽出し塗布しながらの指圧マッサージ、電動振動マッサージ、局部圧迫しながらの電動振動マッサージを行う事が出来、液剤とマッサージの双方の相乗効果により、双方の効果を一層高める事が出来る、経済的で効率的な、効果的マッサージを行う事が出来る、汎用性の高い、小型で、携帯の適した液剤ボトル付きの電動マッサージ器である。
【発明を実施するための最良の形態】
【００２９】
以下、本発明の一実施例を図面の符号も用いて説明する。図１，図２，図３，図４は、本発明の一実施例を示し、振動部である液剤キャップ内に振動発生モーターと振動数調整用のロータリー式ボリュームを備え、電池を２個使用しているタイプです。本品は図のような形状をしており、図１の２ボトルキャップ振動部の内側両サイドに、２９液剤流路壁を設ける事で、３の液剤流路を形成してあります。更に、その３の液剤流路上の２ボトルキャップ振動部の外面先端に５の液剤抽出口を設けた。更に２９液剤流路壁より内側の、２のボトルキャップ振動部の中心部に２８モーターホルダーを設け、５液剤抽出口の直下で、更に、その同一線上に回転軸中心が位置するように７偏心ローターを備えた６のモーター設置した。前述したレイアウトにする事で、身体各部位に直接押し当てたり，マッサージ刺激をする為の２振動部ボトルキャップ先端部周辺に非常に近い位置に６振動発生モーターを設置する事が出来る、更に、そのモーターの回転シャフトが、振動部先端に向かう縦方向に設置する事が出来る、また、その回転シャフトの回転の中心を、２の振動部ボトルキャップの中心軸上に設置する事が出来る。それにより、６モーターが発生した振動が、２振動部ボトルキャップ先端を中心としながら、効率良く伝達されるようになり、効率的で効果的な電動振動マッサージを行う事が出来るものとした。仮に、２の振動部を身体に押し当てる方向に対し、モーターの回転方向を同一にした場合、つまり、図１の６モーターを、９０度回転させ横にした状態では、振動の発生の中心が、２振動部の中心ではなく、２振動部の側面に来てしまう為、発生した振動が２７液剤ボトル側にも逃げてしまい、２振動部と、２７の液剤ボトルとを含めた本品全体に振動が伝達してしまい、最も振動を伝達させたい振動部先端に振動を集中させることが出来ない。そこで、本実施例の上記のようなレイアウトとし、振動部の押し当て方向とモーターの回転方向の位置関係を垂直とし、更に、回転軸を２振動部の中心に位置し、尚且つ、出来る限り、２の振動部の頂点に近い位置に６モーターを設置する事で、モーターが発生した振動は、振動部先端部を中心に効率良く伝達され、効果的な振動マッサージを行う事が出来る。尚、３液剤流路の数に限定は無い。
【００３０】
次に、６モーターの下部に８ドーナツ型コンダクターに接する接点と９巻き線式レジスターに接する接点を設置した３０のボリューム接点ホルダーを設け、６モーターのターミナルを８と９にそれぞれジョイントした。更に、その下部に１１の巻き線式レジスターと、ドーナツ型コンダクターを有する３１レジスタホルダーと更に、それと一体成形された筒状の電池を２個収納する２６バッテリケースを３０ボリューム接点ホルダーの中央の突起にさし込んだ後、ビスを使用して取り付け、３１レジスタホルダーと２６バッテリケースが回転稼動するようにした、それにより、８，９，１０，１１，１２，３０，３１により構成されるロータリー式ボリューム部を形成した。
【００３１】
更に２６バッテリーケースの下端に電源のＯＮ、ＯＦＦスイッチであり迫り出し式の振動数調整ダイアルノブでもある１５，１６，１７，１８，１９，２０，２１より構成されるねじ込み式のスイッチアッセンブリを取り付けた。それによりキャップ部を振動部とする電池を２個使用した、振動数調整機能付きの電動マッサージ器を構成した。以降、この２ボトルキャップ振動部、ロータリー式ボリューム部、２６バッテリケース、スイッチアッセンブリまでを、マッサージ器部アッセンブリと呼称する。また、図１０は、本品を、１アウターキャップ、マッサージ器部アッセンブリ、２７カートリッジ式ボトルの３個に分解した状態を示しており、図のように分解する事が出来ます。尚この実施例の、マッサージ器部アッセンブリの外部パーツは、プラスティックにより形成されているが、材料に限定はない。
【００３２】
次に、図１の２７カートリッジ式液剤ボトルについて説明します。２７カーートリッジ式液剤ボトルは図１、図１０のような形状をしており、本体上面の両サイドに上記２のボトルキャップ振動部内側両サイドの３液剤流路に液剤を注入する際の入り口である３a液剤流路液剤注入口の内部形状と合致した形状の２３液剤抽出ノズルを有している。更に、図１０、図１２のように、ボトル本体中央を上面から底面まで貫通する形で、２２液剤ボトルセンターホールが本体と一体に形成され設けられています。また、この２２液剤ボトルセンターホールの内径は、２６バッテリーケース外径より長いものとなっています。また、２７ボトル上部の形状は、２ボトルキャップ振動部の下部開口部に、図１のようにぴったりとはまり込む形状となっており、更に、２７ボトル上部には、２のボトルキャップ振動部に一体成形された２５のジョイントストッパーボトルキャップ振動部側に、しっかりと噛み合うよう一体成形された２４のジョイントストッパーボトル側を設けてあります。それらにより、上記マッサージ器部アッセンブリと２７カートリッジ液剤ボトルとを連結する際には、２ボトルキャップ振動部内側両サイドの３a液剤流路液剤注入口に２３液剤抽出ノズルが、ぴったりと連結され、同時に、一定のクリアランスが確保された状態で、２２液剤ボトルセンターホールに上記２６バッテリケースとスイッチアッセンブリが収納されます。更にその際、キャップ側のストッパー２５とボトル側のストッパー２４がしっかりと噛み合い、マッサージ器部アッセンブリと２７カートリッジ液剤ボトルとがしっかりと連結、固定される構造となっています。本品は、以上のように構成された液剤ボトルが脱着自在な液剤ボトル付きの電動マッサージ器である。
【００３３】
また、上記実施例の２７カートリッジ式液剤ボトルは、ポリスチレンにより形成されており、押圧により容器を変形させることで、２３液剤抽出ノズルより内容物の液剤を抽出する方式の物とし、エアゾール缶を使用していない為、プロペラントや、耐圧容器を使用する必要が無く、コストを下げる事が出来、また、安価に提供する事が出来、経済的である。更に、使用者が好みの液剤を注入する事が出来、汎用性が高く便利である。また、ボトル内の液剤を使い切った際には、詰め替える事が出来、使い捨てする必要が無く、従来のように使い切る度に缶ゴミが出ない為、合理的で経済的である。更に、使用の際は、必要な分量のみを抽出する事が出来、経済的である。尚、２７カートリッジ式液剤ボトルの２３液剤抽出ノズルより押し出された液剤は、２ボトルキャップ振動部内側両サイドの３a液剤流路液剤注入口、３液剤流路を通り、先端の５液剤抽出口より吐出します。このように、本液剤ボトル２７は、汎用性が高く、合理的で経済的な使い易い物となっています。また、２７液剤ボトルに好みの液剤を注入する際は、２３液剤抽出ノズルより注入しますが、ノズルが２個設置されている事により、液剤を注入している反対側のノズルより、ボトル内部のエアーが、スムーズにボトル外部に放出されていく為、液剤の注入や詰め替えがスムーズに行う事が出来ます。また、その際には、図１９の４５専用漏斗を使用すると、よりスムーズに行う事が出来ます。また、携帯する必要が無く液剤を多量に使用する場合には、図１９の４４の大容量液剤ボトルを使用する事も出来ます。また、２７液剤ボトルを、透明もしくは、半透明の材質を使用すると、２２のセンターホール内の２６バッテリーケースが、２７液剤ボトルの外に透けて見えるので、そこに、ロゴや、マークを入れると液剤の色や、液剤のレンズ効果による拡大でロゴやマークが強調される為、面白い効果が得られます。尚、この実施例の２７カートリッジ式液剤ボトルは、ポリスチレンにより形成されているが、材質はポリスチレンのみで無くポリプロピレン、ポリエチレン、ポリエチレンテレフタレート等押圧により変形する容器を形成するものであれば、材料に限定は無い。また、２３抽出ノズルの数に限定は無い。
【００３４】
また、２７カートリッジ式液剤ボトルは、各種液剤入りの状態と液剤無しの空の状態と両方の形態にて提供する。それにより使用者は、マッサージオイル、アロマオイル等各種液剤入りの状態でのボトルの購入と、空の状態のボトルのみの購入とどちらも選択し購入する事が出来る。それにより使用者は、マッサージオイル、アロマオイル等の各種ボトル入りの液剤は元より、使用者が長年使用して馴染んでいる等の各、液体、流動体、ジェル状のマッサージオイルや、アロマオイル、マッサージローション、ベビーオイル、化粧剤、保湿剤、消炎鎮痛剤、等の各種それぞれの好みの液剤を注入して使用する事が出来る。それにより、液剤を併用したマッサージを行う際に、使用者は自分の体に合った液剤や、自分にとって効果の高い液剤を使用する事が出来る、また、液剤は身体に直接塗布する物である為、このように、使用者が馴染んでいる液剤を使用する事で、使用者にとって最も安心で、克つ、効果的な液剤を併用したマッサージを行う事が出来る。また、液剤容量が多く入った詰め替え用ボトルの提供により、２７カートリッジ式液剤ボトルの液剤を使い切ってしまった場合にも、詰め替え用ボトルより２７に注入して再度使用する事が出来る為、経済的である。なお、その詰め替え用ボトルの液剤抽出口は２３液剤抽出ノズルに合致した形状になっている為、詰め替え用ボトルから直接２７液剤ボトルに注入する事が出来ます。
【００３５】
また、本品は、女性が他の化粧品と違和感無く並べておく事が出来、化粧品の一部として使用出来るように、外観の美観と機能の両立も重点においており、たとえば、上記２ボトルキャップ振動部は、図１、図２のように砲弾型を横に潰した形状になっており、５液剤抽出口より抽出した液剤により患部と２振動部との間の摩擦が低下した状態で、患部周辺を圧迫しながら滑らすように指圧したり、また、ツボや心地良いポイントを局部圧迫して指圧マッサージするのに適しています。また、軽く宛行っての電動振動マッサージや、局部を圧迫しながらの電動振動マッサージを行う際にも先端に振動が集中する為、使い易く、効果的な形状となっている。次に、本品の電動マッサージ器部の電源スイッチは、図８の１８のボリュームダイアルノブを図の上方向に押す事で、図９のように、１８が迫り出してきます、それと同時にマッサージ器がＯＮになります。また、迫り出した１８は、マッサージ器の振動数を調整するダイアルノブとなっており、右に廻すほど振動数が上がります。電源を切る時は再度１８を押し込みます、その際は、マッサージ器が、どの振動数であれＯＦＦとなります。その電源ＯＦＦ時には、１８ボリュームダイアルノブは、２２液剤ボトルセンターホール内に完全に収納される構造となっている為、図１のように立てておく事が出来ます。それにより、非使用時における本品は、電動マッサージ器には見えず、１アウターキャップ、２ボトルキャップ振動部、２７液剤ボトルを含め、トータルにデザインされたスタイリッシュな液剤のボトルに見えるようになっています。それにより、特に女性の使用者が、その他の化粧品と共に並べて置いておく際にも、違和感が無く自然で、おしゃれに並べる事が出来ます。このように、本品は、液剤ボトル付きの電動マッサージ器として、使い易く、機能的でありながら外観の美観も損なわない、機能と外観のデザイン性を両立した物となっています。
【００３６】
次に本品の機構も交えて説明します。図７は、本品のサーキット略図であり、図１や、図５、図８と照らし合わせて見る事が出来ます。まず、図７と図５により、８，９，１０，１１，１２，３０，３１により構成されるロータリー式ボリューム部について説明します。図５の３４電池は、ビスに被せる形に設置された、１３の電池受け金具に接しています、１３は３１のレジスターホルダーを貫通し１２巻き線式レジスターエンドに繋がっています。また、モーターターミナル右側と繋がっている９接点は、１２と一体の１１巻き線式レジスターに常に接触しています。次にモーターターミナル左側と繋がった８の接点は、１０ドーナツ型コンダクターに常に接触しています。その１０のコンダクターは、バッテリケース内側に形成された溝にはめ込んである１４の長ターミナルと繋がっています。その１４は、２６バッテリーケースの下端より先端を少しだけ露出した状態で固定してあります。その為、スイッチアッセンブリがねじ込まれて取り付けられることで、１５スイッチ接点と接触した状態になります。この１５スイッチ接点はスイッチアッセンブリを貫通して取り付けられおり、電源ＯＦＦ時には、図８のように１９スライダーセンターが、４６スライドレールに引っ掛かっている為、１５スイッチ接点と１６a電池受けスプリング接点部は、離れており絶縁されています。またこの際、１８ボリュームダイアルノブは、一体である２０スライダーアウターと共に２１スライダーアウターリターンスプリングにより、図の上方向に持ち上げられている為、下に落ちてきません。それにより、非使用時には、２２液剤ボトルセンターホール内に収納され出てこないようになっています。次に、１８を図の上方向に押し上げます、一旦少し上げ、手を放すと、図９のように、１９スライダセンターが、４６スライドレールから外れ１６電池受けスプリングの伸張力により、図の下方に移動します、それにより、２０と１８も押し下げられることにより、１８のボリュームダイアルノブが、２２液剤ボトルセンターホール下部より迫り出してくる形となります。同時に、１６の下部の１６a電池受けスプリング接点部が１５スイッチ接点と接触し、ロータリー式ボリューム部の１１巻き線式レジスターを介し、６のモーター電源がＯＮとなります。この１８ボリュームダイアルノブは、振動数調整ダイアルになっており、１８ノブを廻す事により、スイッチアッセンブリ、２６バッテリーケース、３１レジスターホルダーも同時に廻される構造となっており、右に廻す事で振動数が上がるようになっています。図６は、そのボリューム部の拡大図で、６モーター側から見たボリューム部の図である。ボリューム部内部は、図のようになっており、２６バッテリーケースと一体の３１レジスターホルダーには、１０、１１、１２、１４、４２、４３がそれぞれ取り付けられています。以降３１、１０、１１、１２、１４、４２、４３を、レジスターホルダーアッセンブリと呼称します。また、図の８，９，４０，４１は、それぞれ３０のボリューム接点ホルダーに取り付けられています。以降３０、８，９，４０，４１を、ボリューム接点ホルダーアッセンブリと呼称します。まず、１８ボリュームダイアルノブを廻す事によりレ���スターホルダーアッセンブリが回転稼動する事になります。また、図６は、振動数が最小時のロータリーボリューム部内の状態を示しており、１８ボリュームダイアルノブを、左にいっぱいに廻した状態であります。これは、電源をＯＮにした状態で１８を左いっぱいにすると最小振動数になりＯＦＦにはならないようになっています。なぜなら、振動数調整において、最小の下にＯＦＦ部を設けると、最小に設定するのが困難になるのを防ぎ設定し易くする事と、また、電源スイッチとボリューム操作とを別々にする事で携帯時に振動でダイアルが廻ってしまい、意に反して電源が入ってしまう等の誤作動を無くす事が目的であります。次に１８を右に廻すと図のレジスターホルダーアッセンブリが、左廻りする事になり、１８を右にいっぱいまで廻すと３０のボリューム接点ホルダー側の４１最大時ダイアルストッパーが、３１レジスターホルダー側の４３のストッパーに接触し、９の接点は、１３電池受け金具と直結の１２の巻き線式レジスターエンドの上に乗り上げ接触し、抵抗値が最低値となる為、マッサージ器は最大振動数となります。この際常に、８の接点と、１０のドーナツ型コンダクターは接触しています。本品は、このような構成により図７のサーキットが形成されています。尚、メインスイッチでの、ＯＮ、ＯＦＦ機能を配し、ロータリー式ボリューム内の巻き線式レジスタ横に、絶縁部分を設ける事により、ダイアルノブを廻す事で電源のＯＮ，ＯＦＦと、振動数調整とを共に行うタイプの振動数調整ダイアルにする事が出来ます。
【００３７】
次に本品の電池交換法は、図１８のように行い、スイッチアッセンブリは、３５スイッチアッセンブリネジ部によってねじ込み式で取り付けてあるので、それを緩める事で、スイッチアッセンブリが外れ、３４電池を取り出す事が出来ます。尚、電池の本数や種類に限定は無い。また、直流や、交流など電源の種類に限定は無い。
【００３８】
次に本品の使用法の一例も交えて説明します。マッサージオイルを併用しながらのマッサージを行う場合を例に説明します。まず、身体の好みの部位に好みの量だけマッサージオイルを抽出し、そこに、２ボトルキャップ振動部を宛行います。その時、マッサージオイルの効果により皮膚と、２振動部の間の摩擦は非常に少なくなっている為、マッサージする部位やその周辺を圧迫しながら、２振動部先端を滑らすように指圧マッサージをする事が出来ます。そうしながら、ツボや心地良いポイントを探し、心地良いポイントが見つかったら、そこを重点的に指圧マッサージします。その際、途中でオイルが乾いてきたら、また、必要な分量のみ抽出します。エアゾール缶のように押し当てている間液剤が出てしまう事が無い為、液剤が乾くまで十分に指圧マッサージする事が出来、また、必要な分量だけ液剤を使用するので経済的である。また、同時に、液剤を抽出しながら、指圧マッサージや振動マッサージをしているので、液剤もただ単に塗布するときよりも皮膚に十分に浸透していきます。この一例のマッサージオイルの場合でも皮膚に必要な保湿成分やオイル分が、マッサージをしている間に皮膚に十分に浸透していきます。次にそのツボや、心地いいポイントの位置のまま必要であれば、電動マッサージ器の電源を入れ、更に好みの振動数にセットし、電動振動マッサージをする事が出来ます。更に、そこにもっと局圧をかけて圧迫しながらの電動振動マッサージをする事が出来ます。もちろん、その際も、押しつけた事により、必要以上に液剤が出てくる事はありません。このように、液剤の摩擦を低下する効果を利用し、電源を入れずに、振動部を滑らせながら指圧し、心地良い部位を探して、必要な時だけ電源を入れる使用法が出来る為、経済的で克つ効率的である。また、液剤の塗布と電動マッサージが同時に出来るので、液剤を塗布して、更に電動マッサージ器を使用する手間が無く、時間も無駄なく短時間で出来ます。また、振動マッサージしながら液剤が出てくるので、それを潤滑剤とし、そのまま２振動部を液剤を患部に馴染ませるように円を描くように回転させながらマッサージする事で、液剤も乾き難く、また、乾く前に患部に効率良く液剤を浸透させる事が出来ます。また、揮発性の高い液剤でも同一に効率良く浸透させる事が出来ます。また、電動振動マッサージも液剤により皮膚との摩擦が低下された状態で行える為、通常の電動振動マッサージよりも心地良く効果的に行う事が出来ます。このように本品は、液剤の効果、マッサージの効果双方を相乗効果により、高め、効率的で、効果的にし、尚且つ経済的に液剤を併用した電動振動マッサージが行う事が出来る、カートリッジ式液剤ボトルを有した小型の電動マッサージ器であります。また、別の使用法として、液剤として、化粧剤や保湿剤を選択し、それを併用しながら、振動数を低めに設定し、目尻や目の下などの顔の乾き易い部分に、振動部を軽く宛行い、液剤をやさしくすり込むような感じで、目尻や目の下に沿って、振動マッサージをする事で、効率良く液剤が浸透していき、マッサージ後には、その部位が潤い、非常にしっとりとし、高い効果がえられます。また、先ほどよりも高めの振動数で、耳の後ろや首筋などの、リンパに沿って、振動部を滑らせながら、電動振動マッサージをすると大変心地良く、また、リラックスでき効果的である。更に、液剤として消炎鎮痛剤を使用した場合は、揮発し易い消炎鎮痛剤でも、効率良く患部に浸透していき効果的であり、更に、電動マッサージ器による振動と患部への局部圧迫が消炎鎮痛剤と相俟って大変心地良く、効果的なマッサージを行うことが出来ます。また、液剤を併用しない場合でも、電池を２個使用した、振動数調整機能付きの使い勝手の良い小型の電動マッサージ器として使用する事が出来ます。
【００３９】
更に本品は、図１３のようにスペアボトル用のキャップとして３２保存時用液剤キャップを設け、各種液剤を選択し電動マッサージ器部に装着し使用する際の、それ以外の非使用のボトルに装着する為のキャップであり、３３保存時用液剤キャップ抽出ノズルプラグにより２７液剤ボトルの左右の２３液剤抽出ノズルをそれぞれふさぐ事が出来ます。また、電動マッサージ器を内蔵した、２ボトルキャップ振動部と同一の形状をしている為、マッサージ器部アッセンブリに２７液剤ボトルを取り付けた状態の本品と同一の外観となる為、並べておく際の統一性が保たれる。また、数種類の色の３２を提供する事により、液剤入りの数種類の、２７液剤ボトルを並べておく際にも、色により液剤の識別がし易く、克つ、全体の統一性も保たれます。それにより形状もスタイリッシュで、統一性も有り、整頓し易く、カラフルで美しく並べられ、識別や、選択もし易い、使い勝手と美観とを両立したものとした。
【００４０】
また、近年アロマセラピーといった、アロマオイルを塗布しながら行うマッサージ法が注目されています。なぜならば、アロマオイルには、人体の代謝を良くする等の様々な効果と共に、その香りも精神を落ち着かせ、リラックスさせる効果があり、リラクゼーションに大変有効で効果的だからである。本品は、自宅や外出先でも、簡単にアロママッサージを行える事も目的としており、本品２７液剤ボトルにアロマオイルを注入する事で、アロマオイルを塗布しながらのマッサージをアロマの香りも楽しみながら、簡単に行う事が出来ます。更に、その際、アロマキャンドルや、アロマポットを併用する事で、更に一層アロママッサージを効果的に楽しむ事が出来ます。また、アロマオイルには多くの種類があり、効能や香りも様々で、人により好みが分かれますので、好みの液剤を注入する事が出来る本品は非常に適したものとなっています。また、ボトル内で好みのアロマオイルをブレンドして使用する事も出来ます。このように本品は、安価で小型で携帯に適し、自宅や外出先で気軽に一人で、アロマオイルを併用しながらのアロママッサージが行え、リラクゼーションを楽しむ事が出来ます。
【００４１】
上記のように本品は、小型の電動マッサージ器でありながら、各種液剤を併用したマッサージを行う事が出来、液剤とマッサージ双方の相乗効果により、液剤とマッサージのお互いの効果を高め、効率的克つ効果的に指圧マッサージ、電動振動マッサージ、局部圧迫しながらの電動振動マッサージを行う事が出来ます。またエアゾール缶を使用しておらず、ポリスチレン等で成形された押圧による変形によりボトル内の内容物の液剤を抽出する方式のボトルを使用している為、コストダウンが出来、安価での提供が出来、また、必要な分量だけ抽出する事が出来経済的である。更に、液剤入りのボトルと、液剤の入っていない空のボトルの両方の提供により、使用者は、どちらの購入もする事が出来、その為、ボトル入りの液剤は元より、使用者が長年使用していて馴染んでいる等の好みの各、液体、流動体、ジェル状の各種マッサージオイル、アロマオイル、ベビーオイル、マッサージローション、化粧液、保湿液、消炎鎮痛剤等、様々な液剤を注入して使用する事が出来ます。また、本品は液剤を併用しないで、通常のマッサージ器として使用する場合でも、電池を２個使用した、振動数調整機能付きの使い勝手の良い小型の電動マッサージ器として使用する事が出来ます。更に、本品は、女性が他の化粧品と違和感無く並べておけ、化粧品の一部として使用出来るように、非使用時においては、マッサージ器に見えず、スタイリッシュな液剤ボトルに見えるようになっており、機能と外観のデザイン性を両立した物となっています。このように本品は、汎用性が高く、使い勝手が良く、経済的であり、各種液剤を併用した効率的な電動マッサージを自宅や外出先でも、簡単に行う事が出来る、安価で、小型で携帯に適した効果的な、液剤ボトル付き電動マッサージ器である。
【実施例】
【００４２】
以下、本発明の別の実施例を図面の符号も用いて説明する。図１４、図１５、図１６は、本発明の電動マッサージ器部脱着タイプを示し、前述の実施例の物とは異なり図１６のように、マッサージ器部が、ボトルキャップ振動部より取り外しする事が出来るようになっています。以降図１６に記載の部分を、脱着式マッサージ器部と呼称する。この脱着式マッサージ器部は、取り外した状態の単体としても、電池を２個使用した、振動数調整機能付きの使い勝手の良い小型電動マッサージ器として使用出来、外した状態に於いては前述の物よりも使用し易く、また、小型である為、携帯にも適している。
【００４３】
また、図１７は本品のマッサージ器部脱着タイプの液剤保存時の液剤ボトルの部品構成を示しており、前述の実施例のタイプとは異なり、脱着式マッサージ器部を取り付ける事で振動部となる液剤キャップ図１４の３９と、保存時用キャップ図１７の３９は同一の物であり、図１７のように保存時用液剤キャップにも３液剤流路、５液剤抽出口を有し、また、各液剤ボトルにそれぞれ１のアウターキャップが付属する。その為、マッサージ器を取り付けていない保存時状態でも、普通に液剤を抽出する事が出来る為、そのまま通常の液剤ボトルとして使用する事が出来る。更に、前述の実施例のタイプでは、２のボトルキャップ振動部の３液剤流路内で、残留した液剤が多少混ざり合ってしまう事があったが、このマッサージ器部脱着タイプでは、３９の液剤流路付きの液剤ボトルキャップを各液剤が共用する事が無いので、液剤どうしが混ざり合う事が無い。
【００４４】
また、本品は、図１４、図１５、図１６のように、３９のボトルキャップの内面に３６のマッサージ器ホールドストッパーが一体で成形されており、また、マッサージ器部の外面の３８振動部インナーにも３７のマッサージ器ホールドストッパーが一体で成形されている。それにより、脱着式マッサージ器部を３９ボトルキャップの下部開口部よりさし込む事で、お互いがフックし合い噛み込みます、同時にマッサージ器部の納まる位置も一定の位置に誘導され納まり、３９ボトルキャップ内側上部に、押し付けられた状態でボトルキャップ内部中央に固定されます。それにより、３８振動部インナーと、３９ボトルキャップは一体となり、３９は、ボトルキャップ振動部となります。また、脱着式マッサージ器部を、取り外す際は、３９ボトルキャップの両側面より力を加え、３９を少し押圧変形させる事で取り出す事が出来ます。
【００４５】
このように本品は、前述の実施例の、３液剤流路の内部で液剤が混ざり合ってしまう事を無くし、更に、保存時用ボトルキャップを取り付けている保存時状態でも５液剤抽出口より液剤を抽出する事が出来る為、通常の液剤容器として使用する事が出来ます。更に、マッサージ器部を取り外して、単体で使用したり、持ち運んだりする事が出来、便利で、使い勝手が良く、合理的な、液剤ボトルを有する電動マッサージ器である。
【図面の簡単な説明】
【００４６】
【図１】この発明に係る液剤ボトル付き電動マッサージ器の正面断面図である。
【図２】この発明に係る液剤ボトル付き電動マッサージ器の側面断面図である。
【図３】この発明に係る液剤ボトル付き電動マッサージ器の上面図である。
【図４】この発明に係る液剤ボトル付き電動マッサージ器の底面図である。
【図５】この発明に係る液剤ボトル付き電動マッサージ器の正面上方断面拡大図である。
【図６】この発明に係る液剤ボトル付き電動マッサージ器のボリューム部拡大図である。
【図７】この発明に係る液剤ボトル付き電動マッサージ器のサーキット略図である。
【図８】この発明に係る液剤ボトル付き電動マッサージ器の正面下方断面拡大図である。
【図９】この発明に係る液剤ボトル付き電動マッサージ器のボリュームダイアルノブ突出状態時の正面下方断面拡大図である。
【図１０】この発明に係る液剤ボトル付き電動マッサージ器の分解状態の正面断面図である。
【図１１】この発明に係る液剤ボトル付き電動マッサージ器の液剤ボトルを外した状態のマッサージ器部の底面図である。
【図１２】この発明に係る液剤ボトル付き電動マッサージ器の液剤ボトルの上面図である。
【図１３】この発明に係る液剤ボトル付き電動マッサージ器の保存時用液剤キャップと、同キャップを液剤ボトルにを取りつけた状態の正面断面図である。
【図１４】この発明に係る液剤ボトル付き電動マッサージ器のマッサージ器部脱着タイプの正面断面図である。
【図１５】この発明に係る液剤ボトル付き電動マッサージ器のマッサージ器部脱着タイプの側面断面図である。
【図１６】この発明に係る液剤ボトル付き電動マッサージ器のマッサージ器部脱着タイプの脱着式マッサージ器部の正面断面図である。
【図１７】この発明に係る液剤ボトル付き電動マッサージ器のマッサージ器部脱着タイプの保存時溶液剤ボトルの部品構成を示す正面断面図である。
【図１８】この発明に係る液剤ボトル付き電動マッサージ器の電池交換法を示す正面断面図である。
【図１９】この発明に係る液剤ボトル付き電動マッサージ器の大容量タイプの液剤ボトルの正面断面図と、専用漏斗の斜視図である。
【図２０】特許文献１マッサージ器の断面図である。
【図２１】特許文献２マッサージ具の側面図、断面図、上面図である。
【図２２】特許文献３振動マッサージ機能付きエアゾール装置の断面図である。
【図２３】特許文献４電動式マッサージ器一体型養毛用器具の縦断面図である。
【図２４】特許文献５振動マッサージ機能付きエアゾール装置の部分断面側面図である。
【符号の説明】
【００４７】
１    アウターキャップ
２    ボトルキャップ振動部
３    液剤流路
３a   液剤流路液剤注入口
４    アウターキャップ部液剤抽出口プラグ
５    液剤抽出口
６    モーター
７    偏心ローター
８    ドーナツ型コンダクターに接する接点
９    巻き線式レジスターに接する接点
１０  ドーナツ型コンダクター
１１  巻き線式レジスター
１２  巻き線式レジスターエンド
１３  電池受け金具
１４  長ターミナル
１５  スイッチ接点
１６  電池受けスプリング
１６a 電池受けスプリング接点部
１７  スイッチセンターケース
１８  ボリュームダイアルノブ
１９  スライダーセンター
２０  スライダーアウター
２１  スライダーアウターリターンスプリング
２２  液剤ボトルセンターホール
２３  液剤抽出ノズル
２４  ジョイントストッパー液剤ボトル側
２５  ジョイントストッパーボトルキャップ振動部側
２６  バッテリーケース
２７  液剤ボトル
２８  モーターホルダー
２９  液剤流路壁
３０  ボリューム接点ホルダー
３１  レジスターホルダー
３２  保存時用液剤キャップ
３３  保存時用液剤キャップ抽出ノズルプラグ
３４  電池
３５  スイッチアッセンブリネジ部
３６  マッサージ器ホールドストッパーボトルキャップ側
３７  マッサージ器ホールドストッパーマッサージ器側
３８  マッサージ器部脱着タイプの振動部インナー
３９  マッサージ器部脱着タイプのボトルキャップ振動部
４０  最小時ダイアルストッパーボリューム接点ホルダー側
４１  最大時ダイアルストッパーボリューム接点ホルダー側
４２  最小時ダイアルストッパーレジスターホルダー側
４３  最大時ダイアルストッパーレジスターホルダー側
４４  大容量液剤ボトル
４５  専用漏斗
４６  スライドレール
【図１】
2005040438.tif 000003
【図２】
2005040438.tif 000004
【図３】
2005040438.tif 000005
【図４】
2005040438.tif 000006
【図５】
2005040438.tif 000007
【図６】
2005040438.tif 000008
【図７】
2005040438.tif 000009
【図８】
2005040438.tif 000010
【図９】
2005040438.tif 000011
【図１０】
2005040438.tif 000012
【図１１】
2005040438.tif 000013
【図１２】
2005040438.tif 000014
【図１３】
2005040438.tif 000015
【図１４】
2005040438.tif 000016
【図１５】
2005040438.tif 000017
【図１６】
2005040438.tif 000018
【図１７】
2005040438.tif 000019
【図１８】
2005040438.tif 000020
【図１９】
2005040438.tif 000021
【図２０】
2005040438.tif 000022
【図２１】
2005040438.tif 000023
【図２２】
2005040438.tif 000024
【図２３】
2005040438.tif 000025
【図２４】
2005040438.tif 000026